【手続補正書】
【提出日】平成29年6月7日(2017.6.7)
【手続補正１】
【補正対象書類名】明細書
【補正対象項目名】００１１
【補正方法】変更
【補正の内容】
【００１１】
本発明の一様態は、シートに画像を印刷する印刷部と、
前記印刷部によって画像が印刷されたシートにダイを用いてシート処理を行うシート処理部と、
ユーザに情報を通知する通知手段と、
前記通知手段を制御する制御手段と
を有し、
前記シート処理部には、第１のシート処理を行う際に用いられる第１のダイと、前記第１のシート処理とは異なる第２のシート処理を行う際に用いられる第２のダイと、が選択的且つ手動で取り付け可能であり、
前記制御手段は、指定されたシート処理に用いられるダイが前記シート処理部に取り付けられていない場合、前記指定されたシート処理に用いられるダイを前記シート処理部に取り付けることを促す通知を行うように前記通知手段を制御することを特徴とする。
【手続補正２】
【補正対象書類名】明細書
【補正対象項目名】００６１
【補正方法】変更
【補正の内容】
【００６１】
例えば、ＣＰＵ８０２は、操作パネル制御部８０５、原稿給紙装置制御部８０６、イメージリーダ制御部８０７、画像信号制御部８０８、プリンタ制御部８０９、給紙装置制御部８１０の動作制御を行うことで、印刷に係る制御を実現する。また、ＣＰＵ８０２は、後処理制御部８１１、フィニッシャ制御部８１２の動作制御を行うことで、印刷物の形成に係る制御を実現する。また、ＣＰＵ８０２は、ＨＤＤ８１４を制御するためのＨＤＤ  Ｉ／Ｆ８１３、ネットワークＩ／Ｆ８１５の動作制御を行うことで、内部および外部とのインタフェース制御を実現する。
【手続補正３】
【補正対象書類名】明細書
【補正対象項目名】００６５
【補正方法】変更
【補正の内容】
【００６５】
後処理制御部８１１は、後処理装置２０５を制御する。フィニッシャ制御部８１２は、フィニッシャ装置２０６を制御する。ＨＤＤ  Ｉ／Ｆ８１３は、ＨＤＤ８１４とのインタフェースであり、ＨＤＤ８１４に対する書き込みや読み出しを制御する。ＨＤＤ８１４には、ＯＳ（オペレーティングシステム）や、様々なコンピュータプログラムやデータなど、不揮発性のコンピュータプログラムやデータを保存する。
【手続補正４】
【補正対象書類名】特許請求の範囲
【補正対象項目名】全文
【補正方法】変更
【補正の内容】
【特許請求の範囲】
【請求項１】
シートに画像を印刷する印刷部と、
前記印刷部によって画像が印刷されたシートにダイを用いてシート処理を行うシート処理部と、
ユーザに情報を通知する通知手段と、
前記通知手段を制御する制御手段と
を有し、
前記シート処理部には、第１のシート処理を行う際に用いられる第１のダイと、前記第１のシート処理とは異なる第２のシート処理を行う際に用いられる第２のダイと、が選択的且つ手動で取り付け可能であり、
前記制御手段は、指定されたシート処理に用いられるダイが前記シート処理部に取り付けられていない場合、前記指定されたシート処理に用いられるダイを前記シート処理部に取り付けることを促す通知を行うように前記通知手段を制御することを特徴とする画像形成装置。
【請求項２】
前記制御手段は、前記指定されたシート処理に用いられるダイが前記シート処理部に取り付けられていない場合、前記指定されたシート処理が行われるシートへの画像の印刷を開始しないように前記印刷部を制御することを特徴とする請求項１に記載の画像形成装置。
【請求項３】
前記制御手段は、前記指定されたシート処理に用いられるダイを前記シート処理部に取り付けることを促す通知を前記通知手段が行った後に、前記指定されたシート処理に用いられるダイが前記シート処理部に取り付けられると、画像の印刷を開始するように前記印刷部を制御することを特徴とする請求項２に記載の画像形成装置。
【請求項４】
前記制御手段は、前記指定されたシート処理に用いられるダイが前記シート処理部に取り付けられていない場合、前記指定されたシート処理が行われるシートの前のシートへの印刷終了後に前記印刷部の動作を停止させることを特徴とする請求項１に記載の画像形成装置。
【請求項５】
前記制御手段は、前記指定されたシート処理に用いられるダイを前記シート処理部に取り付けることを促す通知を前記通知手段が行った後に、前記指定されたシート処理に用いられるダイが前記シート処理部に取り付けられると、前記印刷部の動作を再開させることを特徴とする請求項４に記載の画像形成装置。
【請求項６】
前記通知手段が前記指定されたシート処理に用いられるダイを前記シート処理部に取り付けることを促す通知を行ったにもかかわらず、該通知が行われてから所定時間が経過しても前記指定されたシート処理に用いられるダイが前記シート処理部に取り付けられていない場合、前記印刷部は前記指定されたシート処理が行われるシートに印刷を行い、前記シート処理部は前記印刷部によって画像が印刷されたシートに前記指定されたシート処理を行わないことを特徴とする請求項１乃至５のいずれか一項に記載の画像形成装置。
【請求項７】
前記画像形成装置は、印刷ジョブを受信する受信部を有し、
前記制御手段は、前記受信部が受信した印刷ジョブとして前記第１のシート処理と前記第２のシート処理とを実行することが設定された場合、前記第１のシート処理と前記第２のシート処理の一方が完了した後で且つ前記第１のシート処理と前記第２のシート処理の他方が行われるシートへの画像の印刷が開始される前に、ダイを交換することを促す通知を行うように前記通知手段を制御することを特徴とする請求項１乃至６のいずれか一項に記載の画像形成装置。
【請求項８】
シートに画像を印刷する印刷部と、
前記印刷部によって画像が印刷されたシートにダイを用いてシート処理を行うシート処理部と、
前記印刷部を制御する制御手段と
を有し、
前記シート処理部には、第１のシート処理を行う際に用いられる第１のダイと、前記第１のシート処理とは異なる第２のシート処理を行う際に用いられる第２のダイと、が選択的且つ手動で取り付け可能であり、
前記制御手段は、指定されたシート処理に用いられるダイが前記シート処理部に取り付けられていない場合は、前記印刷部が前記指定されたシート処理が行われるシートに画像を印刷するように前記印刷部を制御し、前記印刷部によって画像が印刷されたシートに前記シート処理部が前記指定されたシート処理を行わないように前記シート処理部を制御することを特徴とする画像形成装置。
【請求項９】
前記シート処理部は、該シート処理部に取り付けられたダイの種類を検出する検出手段を有することを特徴とする請求項１乃至８のいずれか一項に記載の画像形成装置。
【請求項１０】
前記制御手段は、前記指定されたシート処理に用いられるダイの種類と前記検出手段によって検出されたダイの種類とを比較することによって、前記指定されたシート処理に用いられるダイが前記シート処理部に取り付けられているか否かを判定することを特徴とする請求項９に記載の画像形成装置。
【請求項１１】
シートに画像を印刷する印刷部を備える画像形成装置であって、第１のシート処理を行う際に用いられる第１のダイと前記第１のシート処理とは異なる第２のシート処理を行う際に用いられる第２のダイとが選択的且つ手動で取り付け可能であり且つ取り付けられたダイを用いてシート処理を行うシート処理装置を接続可能な前記画像形成装置であって、
ユーザに情報を通知する通知手段と、
指定されたシート処理に用いられるダイが前記シート処理装置に取り付けられていない場合、前記指定されたシート処理に用いられるダイを前記シート処理装置に取り付けることを促す通知を行うように前記通知手段を制御する制御手段と
を有することを特徴とする画像形成装置。
【請求項１２】
シートに画像を印刷する画像形成装置であって、第１のシート処理を行う際に用いられる第１のダイと前記第１のシート処理とは異なる第２のシート処理を行う際に用いられる第２のダイとが選択的且つ手動で取り付け可能であり且つ取り付けられたダイを用いてシート処理を行うシート処理装置を接続可能な前記画像形成装置の制御方法であって、
前記シート処理装置に取り付けられたダイの種類を取得する取得ステップと、
前記取得ステップにおいて取得された前記ダイの種類が指定されたシート処理に用いられるダイの種類と異なる場合、前記指定されたシート処理に用いられるダイを取り付けることを促す通知を行う通知ステップと
を備えることを特徴とする制御方法。
【請求項１３】
シートに画像を印刷する印刷部を備える画像形成装置であって、第１のシート処理を行う際に用いられる第１のダイと前記第１のシート処理とは異なる第２のシート処理を行う際に用いられる第２のダイとが選択的且つ手動で取り付け可能であり且つ取り付けられたダイを用いてシート処理を行うシート処理装置を接続可能な前記画像形成装置の制御方法であって、
前記シート処理装置に取り付けられたダイの種類を取得する取得ステップと、
前記取得ステップにおいて取得された前記ダイの種類が指定されたシート処理に用いられるダイの種類と異なる場合、前記指定されたシート処理が行われるシートに画像を印刷するように前記印刷部を制御し、前記印刷部によって画像が印刷されたシートに前記指定されたシート処理を行わないように前記シート処理装置を制御する制御ステップと
を備えることを特徴とする制御方法。
【手続補正５】
【補正対象書類名】図面
【補正対象項目名】図１２Ｄ
【補正方法】変更
【補正の内容】
【図１２Ｄ】
2016004135.tif 000001